(57)【要約】【課題】複数の伝送方式に対応しなければならない場合であっても、光信号受信機を共通化し、簡素化された光伝送システムを構築する。【解決手段】パフォーマンスモニタ回路６では、切換制御部が、周波数検出回路５から送られてきた伝送方式種別に対応したビットレート情報ａ5に基づいて、接続先としてのモニタ部を選択し、選択されたモニタ部が、クロック・データ再生回路３と接続されるように、切換部を動作させるための接続制御信号を送る。モニタ部は、クロック・データ再生回路３から送られてきたデータ信号ａ4から警報情報を抽出し、選択接続部へ送る。切換制御部が警報情報を受け取ると、この警報情報を下流側の装置へ送る。【選択図】図１
2006270262.tif 000002
【特許請求の範囲】
【請求項１】
警報情報を含む光信号を電気的な受信信号に変換する光／電気変換手段と、前記光／電気変換手段から前記受信信号を受け取ってクロック及びデータを再生して再生信号を生成する再生手段とを備えた光信号受信装置であって、
前記再生信号の伝送速度情報を取得する伝送速度情報取得手段と、少なくとも伝送速度が異なる複数種類の伝送方式にそれぞれ対応して設けられ、前記再生信号に含まれる警報情報を抽出する複数の警報情報抽出手段と、前記伝送速度情報に基づいて、前記複数の警報情報抽出手段のなかから対応する警報情報抽出手段を選択して、選択された前記警報情報抽出手段と前記再生手段とを接続する選択接続手段とを備えた
ことを特徴とする光信号受信装置。
【請求項２】
前記選択接続手段は、前記伝送速度情報に接続先の前記警報情報抽出手段を対応付けて記憶する記憶手段を有することを特徴とする請求項１記載の光信号受信装置。
【請求項３】
前記伝送速度情報取得手段は、前記再生信号の周波数を検知する周波数検知手段を有することを特徴とする請求項１又は２記載の光信号受信装置。
【請求項４】
前記再生手段は、クロックの周波数情報を前記伝送速度情報取得手段に送信し、前記伝送速度情報取得手段は、前記周波数情報を前記伝送速度情報に変換する伝送速度情報変換手段を有することを特徴とする請求項１又は２記載の光信号受信装置。
【請求項５】
前記選択接続手段は、前記再生信号の前記伝送速度情報に対応する接続先の前記警報情報抽出手段が設けられていなかった場合に、未監視を意味する警報を出力することを特徴とする請求項１乃至４のいずれか１に記載の光信号受信装置。
【請求項６】
前記選択接続手段は、前記警報情報抽出手段が抽出した前記警報情報を受け取って、下流側へ送出することを特徴とする請求項１乃至５のいずれか１に記載の光信号受信装置。
【請求項７】
警報情報を含む光信号を電気的な受信信号に変換する光／電気変換手段と、前記光／電気変換手段から前記受信信号を受け取ってクロック及びデータを再生して再生信号を生成する再生手段とを備えた光信号受信装置に組み込まれて用いられる光信号監視ユニットであって、
少なくとも伝送速度が異なる複数種類の伝送方式にそれぞれ対応して設けられ、前記再生信号に含まれる警報情報を抽出する複数の警報情報抽出手段と、
前記再生信号の伝送速度情報を取得する伝送速度情報取得手段から送られた前記伝送速度情報に基づいて、前記複数の警報情報抽出手段のなかから対応する警報情報抽出手段を選択して、選択された前記警報情報抽出手段と前記再生手段とを接続する選択接続手段とを備えた
ことを特徴とする光信号監視ユニット。
【請求項８】
前記選択接続手段は、前記伝送速度情報に接続先の前記警報情報抽出手段を対応付けて記憶する記憶手段を有することを特徴とする請求項７記載の光信号監視ユニット。
【請求項９】
前記伝送速度情報取得手段は、前記再生信号の周波数を検知する周波数検知手段を有することを特徴とする請求項７又は８記載の光信号監視ユニット。
【請求項１０】
前記再生手段は、クロックの周波数情報を前記伝送速度情報取得手段に送信し、前記伝送速度情報取得手段は、前記周波数情報を前記伝送速度情報に変換する伝送速度情報変換手段を有することを特徴とする請求項７又は８記載の光信号監視ユニット。
【請求項１１】
前記選択接続手段は、前記再生信号の前記伝送速度情報に対応する接続先の前記警報情報抽出手段が設けられていなかった場合に、未監視を意味する警報を出力することを特徴とする請求項７乃至１０のいずれか１に記載の光信号監視ユニット。
【請求項１２】
前記選択接続手段は、前記警報情報抽出手段が抽出した前記警報情報を受け取って、下流側へ送出することを特徴とする請求項７乃至１１のいずれか１に記載の光信号監視ユニット。
【請求項１３】
光／電気変換手段によって、警報情報を含む光信号を電気的な受信信号に変換し、再生手段によって、前記光／電気変換手段から前記受信信号を受け取ってクロック及びデータを再生して再生信号を生成し、
伝送速度情報取得手段によって、前記再生信号の伝送速度情報を取得し、少なくとも伝送速度が異なる複数種類の伝送方式にそれぞれ対応して設けられた複数の警報情報抽出手段のうち、所定の警報情報抽出手段によって、前記再生信号に含まれる警報情報を抽出し、
選択接続手段によって、前記伝送速度情報に基づいて、前記複数の警報情報抽出手段のなかから対応する警報情報抽出手段を選択して、選択された前記警報情報抽出手段と前記再生手段とを接続する
ことを特徴とする光信号監視方法。
【請求項１４】
前記選択接続手段は、前記伝送速度情報に接続先の前記警報情報抽出手段を対応付けて記憶する記憶手段を有することを特徴とする請求項１３記載の光信号監視方法。
【請求項１５】
前記伝送速度情報取得手段は、周波数検知手段によって、前記再生信号の周波数を検知することを特徴とする請求項１３又は１４記載の光信号監視方法。
【請求項１６】
前記再生手段は、クロックの周波数情報を前記伝送速度情報取得手段に送信し、前記伝送速度情報取得手段は、伝送速度情報変換手段によって、前記周波数情報を前記伝送速度情報に変換することを特徴とする請求項１３又は１４記載の光信号監視方法。
【請求項１７】
前記選択接続手段は、前記再生信号の前記伝送速度情報に対応する接続先の前記警報情報抽出手段が設けられていなかった場合に、未監視を意味する警報を出力することを特徴とする請求項１３乃至１６のいずれか１に記載の光信号監視方法。
【請求項１８】
前記選択接続手段は、前記警報情報抽出手段が抽出した前記警報情報を受け取って、下流側へ送出することを特徴とする請求項１３乃至１７のいずれか１に記載の光信号監視方法。
【発明の詳細な説明】
【技術分野】
【０００１】
この発明は、光信号受信装置、光信号監視ユニット及び光信号監視方法に係り、入力信号のビットレートに応じて、光信号を監視する機能を有する光信号受信装置、該光信号受信装置を構成する光信号監視ユニット、及びビットレートに依存しない光信号監視方法に関する。
【背景技術】
【０００２】
従来より、光伝送システムでは、規格の異なる多様な伝送路網が採用されており、ビットレート（伝送速度）も多様である。例えば、同期光通信網／同期デジタルハイアラーキ（以下、ＳＯＮＥＴ（Synchronous Optical  Network）／ＳＤＨ（Synchronous Digital Hierarchy）網という。）や、ファイバチャネル（以下、ＦＣ（Fibre Channel）という。） 網、ギガビットイーサネット（Gigabit Ethernet（登録商標））網（以下、ＧｂＥ網という。）等の複数種類の伝送路網が用いられている。
したがって、光ファイバを用いた伝送経路を介して接続される伝送装置としての光信号送信機及び光信号受信機は、例えば、ビットレート毎に専用のものを用いる必要がある。
【０００３】
図６に示すように、例えば、ＳＯＮＥＴ／ＳＤＨ網では、伝送用光ファイバ１０１を介して、共にＳＯＮＥＴ／ＳＤＨ網用光信号送信機１０２及び光信号受信機１０３が接続され、ＧｂＥ網では、伝送用光ファイバ１０４を介して、共にＧｂＥ網用光信号送信機１０５及び光信号受信機１０６が接続され、ＦＣ網では、伝送用光ファイバ１０７を介して、共にＦＣ網用光信号送信機１０８及び光信号受信機１０９が接続される。
【０００４】
光信号受信機１０３，１０６，１０９は、光通信監視機能を持ち、図７に示すように、入力光信号を電気的信号に変換する光／電気変換回路２０２と、入力された電気的信号に基づいてクロック信号を抽出しデータ信号を識別して再生するクロック・データ再生回路２０３と、クロック・データ再生回路２０３からクロック信号及びデータ信号を受け取り、警報情報を監視するパフォーマンスモニタ回路２０４とを備えてなっている。
それぞれのパフォーマンスモニタ回路２０４は、その警報情報の検出動作が、例えば、ビットレートに対応する規格毎に異なり共通ではない。
【０００５】
例えば、ＳＯＮＥＴ／ＳＤＨ網では、効率的な信号伝送を行うために、運用保守情報（誤り監視信号、警報転送信号、同期信号）を転送するためのオーバヘッドが定められており、このオーバヘッドを用いて、ビット・インタリーブド・パリティ（Bit Interleaved Parity）と呼ばれるパリティ検査を、中継器間や多重化端局相互間でそれぞれ実施することによって、故障区間の同定等を行っている。
【０００６】
最近のマルチメディアサービスの需要に応じ、上述した多様な伝送方式に対応するために、プロトコル（ビットレート）に関わらず受信が可能な光信号受信機が提案されている（例えば、特許文献１、特許文献２参照。）。
これらの光信号受信機においては、クロック・データ再生回路で再生されたデータ信号から、送信されてきた信号に含まれる警報情報を抽出するためには、例えば、ビットレートに対応した相異なるパフォーマンスモニタ回路が設けられた光信号受信機を用意しなければならない。
【特許文献１】特開２００１−０５３８１４号公報
【特許文献２】特表２００３−５０９９２７号公報
【発明の開示】
【発明が解決しようとする課題】
【０００７】
解決しようとする問題点は、上記従来技術では、パフォーマンスモニタ機能を有する光信号受信機を、例えばビットレート毎に用意しなればならないという点である。
【０００８】
この発明は、上述の事情に鑑みてなされたもので、複数の伝送方式に対応しなければならない場合であっても、光信号受信機（光信号受信装置）を共通化し、簡素化された光伝送システムを構築することができる光信号受信装置、光信号監視ユニット及び光信号監視方法を提供することを目的としている。
【課題を解決するための手段】
【０００９】
上記課題を解決するために、請求項１記載の発明は、警報情報を含む光信号を電気的な受信信号に変換する光／電気変換手段と、上記光／電気変換手段から上記受信信号を受け取ってクロック及びデータを再生して再生信号を生成する再生手段とを備えた光信号受信装置に係り、上記再生信号の伝送速度情報を取得する伝送速度情報取得手段と、少なくとも伝送速度が異なる複数種類の伝送方式にそれぞれ対応して設けられ、上記再生信号に含まれる警報情報を抽出する複数の警報情報抽出手段と、上記伝送速度情報に基づいて、上記複数の警報情報抽出手段のなかから対応する警報情報抽出手段を選択して、選択された上記警報情報抽出手段と上記再生手段とを接続する選択接続手段とを備えたことを特徴としている。
ここで、選択接続手段が、伝送速度情報取得手段から得られた伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００１０】
また、請求項２記載の発明は、請求項１記載の光信号受信装置に係り、上記選択接続手段は、上記伝送速度情報に接続先の上記警報情報抽出手段を対応付けて記憶する記憶手段を有することを特徴としている。
ここで、選択接続手段では、記憶手段に記憶された伝送速度情報に対応付けられた警報情報抽出手段を選択して、選択された警報情報抽出手段と再生手段と接続させるので、伝送方式に依存することなく、光信号受信装置を共通化し、簡素化された光伝送システムを構築することができる。
【００１１】
また、請求項３記載の発明は、請求項１又は２記載の光信号受信装置に係り、上記伝送速度情報取得手段は、上記再生信号の周波数を検知する周波数検知手段を有することを特徴としている。
ここで、伝送速度情報取得手段が、周波数検知手段によって、再生信号の周波数を検知して、伝送速度情報を得て、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００１２】
また、請求項４記載の発明は、請求項１又は２記載の光信号受信装置に係り、上記再生手段は、クロックの周波数情報を上記伝送速度情報取得手段に送信し、上記伝送速度情報取得手段は、上記周波数情報を上記伝送速度情報に変換する伝送速度情報変換手段を有することを特徴としている。
ここで、再生手段が、クロックの周波数情報を伝送速度情報取得手段に送信し、伝送速度情報取得手段が、伝送速度情報変換手段によって、周波数情報を伝送速度情報に変換して、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
また、再生手段が、クロックの周波数情報を出力するので、回路構成を簡素化することができる。
【００１３】
また、請求項５記載の発明は、請求項１乃至４のいずれか１に記載の光信号受信装置に係り、上記選択接続手段は、上記再生信号の上記伝送速度情報に対応する接続先の上記警報情報抽出手段が設けられていなかった場合に、未監視を意味する警報を出力することを特徴としている。
ここで、選択接続手段は、再生信号の伝送速度情報に対応する接続先の警報情報抽出手段が設けられていなかった場合に、未監視を意味する警報を出力するので、対応する警報情報抽出手段が準備されていなくても間違った警報を送出することがない。
【００１４】
また、請求項６記載の発明は、請求項１乃至５のいずれか１に記載の光信号受信装置に係り、上記選択接続手段は、上記警報情報抽出手段が抽出した上記警報情報を受け取って、下流側へ送出することを特徴としている。
ここで、選択接続手段は、警報情報抽出手段が抽出した警報情報を受け取って、下流側へ送出するので、警報情報を確実に転送することができる。
【００１５】
また、請求項７記載の発明は、警報情報を含む光信号を電気的な受信信号に変換する光／電気変換手段と、上記光／電気変換手段から上記受信信号を受け取ってクロック及びデータを再生して再生信号を生成する再生手段とを備えた光信号受信装置に組み込まれて用いられる光信号監視ユニットに係り、少なくとも伝送速度が異なる複数種類の伝送方式にそれぞれ対応して設けられ、上記再生信号に含まれる警報情報を抽出する複数の警報情報抽出手段と、上記再生信号の伝送速度情報を取得する伝送速度情報取得手段から送られた上記伝送速度情報に基づいて、上記複数の警報情報抽出手段のなかから対応する警報情報抽出手段を選択して、選択された上記警報情報抽出手段と上記再生手段とを接続する選択接続手段とを備えたことを特徴としている。
ここで、選択接続手段が、伝送速度情報取得手段から得られた伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００１６】
また、請求項８記載の発明は、請求項７記載の光信号監視ユニットに係り、上記選択接続手段は、上記伝送速度情報に接続先の上記警報情報抽出手段を対応付けて記憶する記憶手段を有することを特徴としている。
ここで、選択接続手段では、記憶手段に記憶された伝送速度情報に対応付けられた警報情報抽出手段を選択して、選択された警報情報抽出手段と再生手段と接続させるので、伝送方式に依存することなく、光信号受信装置を共通化し、簡素化された光伝送システムを構築することができる。
【００１７】
また、請求項９記載の発明は、請求項７又は８記載の光信号監視ユニットに係り、上記伝送速度情報取得手段は、上記再生信号の周波数を検知する周波数検知手段を有することを特徴としている。
ここで、伝送速度情報取得手段が、周波数検知手段によって、再生信号の周波数を検知して、伝送速度情報を得て、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００１８】
また、請求項１０記載の発明は、請求項７又は８記載の光信号監視ユニットに係り、上記再生手段は、クロックの周波数情報を上記伝送速度情報取得手段に送信し、上記伝送速度情報取得手段は、上記周波数情報を上記伝送速度情報に変換する伝送速度情報変換手段を有することを特徴としている。
ここで、再生手段が、クロックの周波数情報を伝送速度情報取得手段に送信し、伝送速度情報取得手段が、伝送速度情報変換手段によって、周波数情報を伝送速度情報に変換して、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
また、再生手段が、クロックの周波数情報を出力するので、回路構成を簡素化することができる。
【００１９】
また、請求項１１記載の発明は、請求項７乃至１０のいずれか１に記載の光信号監視ユニットに係り、上記選択接続手段は、上記再生信号の上記伝送速度情報に対応する接続先の上記警報情報抽出手段が設けられていなかった場合に、未監視を意味する警報を出力することを特徴としている。
ここで、選択接続手段は、再生信号の伝送速度情報に対応する接続先の警報情報抽出手段が設けられていなかった場合に、未監視を意味する警報を出力するので、対応する警報情報抽出手段が準備されていなくても間違った警報を送出することがない。
【００２０】
また、請求項１２記載の発明は、請求項７乃至１１のいずれか１に記載の光信号監視ユニットに係り、上記選択接続手段は、上記警報情報抽出手段が抽出した上記警報情報を受け取って、下流側へ送出することを特徴としている。
ここで、選択接続手段は、警報情報抽出手段が抽出した警報情報を受け取って、下流側へ送出するので、警報情報を確実に転送することができる。
【００２１】
また、請求項１３記載の発明に係る光信号監視方法は、光／電気変換手段によって、警報情報を含む光信号を電気的な受信信号に変換し、再生手段によって、上記光／電気変換手段から上記受信信号を受け取ってクロック及びデータを再生して再生信号を生成し、
伝送速度情報取得手段によって、上記再生信号の伝送速度情報を取得し、少なくとも伝送速度が異なる複数種類の伝送方式にそれぞれ対応して設けらた複数の警報情報抽出手段のうち、所定の警報情報抽出手段によって、上記再生信号に含まれる警報情報を抽出し、選択接続手段によって、上記伝送速度情報に基づいて、上記複数の警報情報抽出手段のなかから対応する警報情報抽出手段を選択して、選択された上記警報情報抽出手段と上記再生手段とを接続することを特徴としている。
ここで、選択接続手段が、伝送速度情報取得手段から得られた伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００２２】
また、請求項１４記載の発明は、請求項１３記載の光信号監視方法に係り、上記選択接続手段は、上記伝送速度情報に接続先の上記警報情報抽出手段を対応付けて記憶する記憶手段を有することを特徴とする。
ここで、選択接続手段では、記憶手段に記憶された伝送速度情報に対応付けられた警報情報抽出手段を選択して、選択された警報情報抽出手段と再生手段と接続させるので、伝送方式に依存することなく、光信号受信装置を共通化し、簡素化された光伝送システムを構築することができる。
【００２３】
また、請求項１５記載の発明は、請求項１３又は１４記載の光信号監視方法に係り、上記伝送速度情報取得手段は、周波数検知手段によって、上記再生信号の周波数を検知することを特徴としている。
ここで、伝送速度情報取得手段が、周波数検知手段によって、再生信号の周波数を検知して、伝送速度情報を得て、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【００２４】
また、請求項１６記載の発明は、請求項１３又は１４記載の光信号監視方法に係り、上記再生手段は、クロックの周波数情報を上記伝送速度情報取得手段に送信し、上記伝送速度情報取得手段は、伝送速度情報変換手段によって、上記周波数情報を上記伝送速度情報
に変換することを特徴としている。
ここで、再生手段が、クロックの周波数情報を伝送速度情報取得手段に送信し、伝送速度情報取得手段が、伝送速度情報変換手段によって、周波数情報を伝送速度情報に変換して、選択接続手段へ送り、選択接続手段が、伝送速度情報取得手段から得られたこの伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
また、再生手段が、クロックの周波数情報を出力するので、回路構成を簡素化することができる。
【００２５】
また、請求項１７記載の発明は、請求項１３乃至１６のいずれか１に記載の光信号監視方法に係り、上記選択接続手段は、上記再生信号の上記伝送速度情報に対応する接続先の上記警報情報抽出手段が設けられていなかった場合に、未監視を意味する警報を出力することを特徴としている。
ここで、選択接続手段は、再生信号の伝送速度情報に対応する接続先の警報情報抽出手段が設けられていなかった場合に、未監視を意味する警報を出力するので、対応する警報情報抽出手段が準備されていなくても間違った警報を送出することがない。
【００２６】
また、請求項１８記載の発明は、請求項１３乃至１７のいずれか１に記載の光信号監視方法に係り、上記選択接続手段は、上記警報情報抽出手段が抽出した上記警報情報を受け取って、下流側へ送出することを特徴とする。
ここで、選択接続手段は、警報情報抽出手段が抽出した警報情報を受け取って、下流側へ送出するので、警報情報を確実に転送することができる。
【発明の効果】
【００２７】
この発明の構成によれば、選択接続手段が、伝送速度情報取得手段から得られた伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出するので、複数の伝送方式に対応しなければならない場合であっても、光信号受信装置を共通化し、簡素化された光伝送システムを構築することができる。
【発明を実施するための最良の形態】
【００２８】
選択接続手段が、伝送速度情報取得手段から得られた伝送速度情報に基づいて、複数の警報情報抽出手段のなかから対応する警報情報抽出手段を選択して、警報情報抽出手段と再生手段とを接続して、警報情報抽出手段が、伝送速度に応じて、再生信号に含まれる警報情報を抽出することによって、複数の伝送方式に対応しなければならない場合であっても、光信号受信装置を共通化し、簡素化された光伝送システムを構築するという目的を実現した。
【実施例１】
【００２９】
図１は、この発明の第１実施例である光信号受信機の構成を示すブロック図、図２は、同光信号受信機のパフォーマンスモニタ回路の構成を示すブロック図、図３は、同パフォーマンスモニタ回路の選択接続部の構成を示すブロック図、また、図４は、同選択接続部の記憶部に記憶された対応テーブルを示す図である。
【００３０】
この例の光信号受信機１は、光通信監視機能を有し、図１に示すように、入力光信号を電気的信号に変換する光／電気変換回路２と、入力された電気的信号に基づいてクロック信号及びデータ信号を再生するクロック・データ再生回路３と、クロック信号を周波数検出回路５及びパフォーマンスモニタ回路６へ送る分岐回路４と、クロック信号に基づいて例えばパルス数を計測することによって周波数を検出してビットレートを特定し、ビットレート情報をパフォーマンスモニタ回路６へ送る周波数検出回路５と、周波数検出回路５から受け取ったビットレート情報に基づいて、クロック・データ再生回路３で再生されたデータ信号から警報情報を抽出し、伝送路や伝送される信号の品質管理を行うためのパフォーマンスモニタ回路６とを備えてなっている。
なお、この光信号受信機１は、光信号送信機と対をなし、モジュール化された光信号送受信機（伝送装置）を構成している。複数の光信号送受信機が、例えば、光ファイバケーブルを用いた伝送路を介して接続されて光伝送システムを構成している。
【００３１】
パフォーマンスモニタ回路６は、図２に示すように、ビットレート情報に基づいて所定の接続先を選択する（所定のパフォーマンスモニタ機能を選択する）選択接続部７と、それぞれ所定のビットレートで送られてくるデータ信号から警報情報を抽出する接続先としての複数の第１モニタ部８ａ、第２モニタ部８ｂ、…とを有し、抽出した警報情報を、所定のビットレートに対応した規格に適合した警報情報として下流側へ送出する。
【００３２】
選択接続部７は、図３に示すように、構成各部を制御する切換制御部１１と、記憶部１２と、切換制御部１１の制御によって、クロック・データ再生回路３及び第１モニタ部８ａ、第２モニタ部８ｂ、…を接続／切断する切換部１４とを有してなっている。
切換制御部１１は、記憶部１２に記憶された各種処理プログラムを実行し、記憶部１２に確保された各種レジスタやフラグを用いて、構成各部を制御し、選択切換制御処理等を実行する。
また、切換制御部１１は、モニタ部（第１モニタ部８ａ、第２モニタ部８ｂ、…）をモニタ部ＩＤ（（０００１）、（０００２）、…）によって識別する。
【００３３】
記憶部１２は、ＲＯＭ、ＲＡＭ等の半導体メモリ等からなり、切換制御部１１が実行する選択切換制御処理プログラム等の各種処理プログラム等が記憶されたプログラム記憶領域と、対応テーブルや設定情報等の各種情報が記憶された情報記憶領域とを有している。
選択切換制御処理プログラムには、周波数検出回路５から送られてきた伝送方式種別に対応したビットレート情報に基づいて、このビットレート情報に対応した接続先としてのモニタ部（第１モニタ部８ａ、第２モニタ部８ｂ、…）を選択し、選択されたモニタ部（第１モニタ部８ａ、第２モニタ部８ｂ、…）が、クロック・データ再生回路３と接続されるように、切換部１４を動作させるための接続制御信号を送るための手順が記述されている。
【００３４】
対応テーブル１２ａには、図４に示すように、伝送方式種別毎のビットレート情報に接続先のモニタ部（第１モニタ部８ａ、第２モニタ部８ｂ、…）が対応付けられて記憶されている。
この例では、第１モニタ部８ａ、第２モニタ部８ｂ、第３モニタ部８ｃ、第４モニタ部８ｄ、第５モニタ部８ｅ、第６モニタ部８ｆ、…は、それぞれ、種別番号１（伝送方式種別：ＯＣ（Optical Carrier）−３，ＳＴＭ（Synchronous Transport Module）−１）、種別番号２（伝送方式種別：ＯＣ−１２，ＳＴＭ−４）、種別番号３（伝送方式種別：ＦＣ）、種別番号４（伝送方式種別：ＧｂＥ）、種別番号５（伝送方式種別：２ＧＦＣ）、種別番号６（伝送方式種別：ＯＣ−４８，ＳＴＭ−１６）、…の信号について、警報情報抽出処理を行うように対応付けられている。
【００３５】
ここで、種別番号１（伝送方式種別：ＯＣ−３，ＳＴＭ−１）、種別番号２（伝送方式種別：ＯＣ−１２，ＳＴＭ−４）、種別番号６（伝送方式種別：ＯＣ−４８，ＳＴＭ−１６）は、それぞれ、ＳＯＮＥＴ／ＳＤＨ網の伝送方式を示している。
ＳＯＮＥＴ／ＳＤＨは、伝送ケーブル(伝送媒体）として光ファイバケーブルを用いた基幹網で採用される高速光伝送方式であり、比較的低速の複数回線から届いたフレームを組み合わせて、１つのフレームとして組み立てて、これを送信することによって、時分割多重化を行っている。
【００３６】
ＳＴＭは、同期転送モードを意味し、この伝送方式では、周期的な時間位置にチャネルが定義されたフレーム構造により、情報が伝送され、チャネルは、伝送する情報の有無に関係なく、周期的に現れる。ＳＴＭ−ｎ（ｎ：０、又は自然数）は、多重化形態（伝送単位）を意味し、多重化におけるｎ番目のデジタルハイアラーキ（速度階層）を表す。
なお、ＳＴＭ−ｎは、ＳＤＨにおける表記方法であり、ＳＯＮＥＴでは、ＯＣ−ｍと表記し、ｍ＝３ｎ（但し、ｎ＝０では、ｍ＝１）である。
【００３７】
また、種別番号３（伝送方式種別：ＦＣ）、種別番号５（伝送方式種別：２ＧＦＣ）は、ＦＣ網の伝送方式を示している。ＦＣ網では、ＡＮＳＩ（American National Standard Institute）のＦＣＳ（Fibre Channel Fibre Standard）に準拠した伝送方式が用いられ、例えば、コンピュータ同士をクラスタ接続したり、コンピュータとディスクアレイ装置等の記憶装置とを接続する際に用いられる。
また、種別番号４（伝送方式種別：ＧｂＥ）は、ＧｂＥ網の伝送方式を示している。ＧｂＥ網では、ＬＡＮ規格の１つであるイーサネット（ Ethernet（登録商標））に、伝送ケーブルとして光ファイバを適用して、高速化を図った伝送方式が用いられる。ＧｂＥでは、物理層にＦＣと同じ仕様が採用されている。
【００３８】
また、種別番号１（伝送方式種別：ＯＣ−３，ＳＴＭ−１）は、ビットレートが１５５．５２［Ｍｂｐｓ］、種別番号２（伝送方式種別：ＯＣ−１２，ＳＴＭ−４）は、ビットレートが６２２．０８［Ｍｂｐｓ］、種別番号３（伝送方式種別：ＦＣ）は、ビットレートが１０６２．５０［Ｍｂｐｓ］、種別番号４（伝送方式種別：ＧｂＥ）は、ビットレートが１２５０．００［Ｍｂｐｓ］、種別番号５（伝送方式種別：２ＧＦＣ）は、ビットレートが２１２５．００［Ｍｂｐｓ］、種別番号６（伝送方式種別：ＯＣ−４８，ＳＴＭ−１６）は、ビットレートが２４８８．３２［Ｍｂｐｓ］が、それぞれ、対応している。
【００３９】
次に、図１乃至図３を参照して、この例の光信号受信機１の動作について説明する。
図１に示すように、光伝送路としての光ファイバを伝送された光信号ａ1が光信号受信機１Ａに入力されると、光／電気変換回路２がこの入力光信号を電気的信号ａ2に変換し、クロック・データ再生回路３が、入力された電気的信号に基づいてクロック信号ａ3及びデータ信号ａ4を再生し出力する。
クロック・データ再生回路３から出力されたクロック信号ａ3は、分岐回路４へ送られ、データ信号ａ4は、パフォーマンスモニタ回路６へ送られる。分岐回路４は、クロック信号ａ3を周波数検出回路５及びパフォーマンスモニタ回路６へ送る。
周波数検出回路５は、クロック信号ａ3に基づいて例えばパルス数を計測することによって周波数を検出してビットレートを特定し、ビットレート情報ａ5をパフォーマンスモニタ回路６へ送る。
【００４０】
図２及び図３に示すように、パフォーマンスモニタ回路６では、選択接続部７の切換制御部１１が、周波数検出回路５から送られてきた伝送方式種別に対応したこのビットレート情報ａ5に基づいて、このビットレート情報ａ5に対応した接続先としての第１モニタ部８ａ（第２モニタ部８ｂ、第３モニタ部８ｃ、…）を選択し、選択された第１モニタ部８ａ（第２モニタ部８ｂ、第３モニタ部８ｃ、…）が、クロック・データ再生回路３と接続されるように、切換部１４を動作させるための接続制御信号ａ6を送る。
【００４１】
これにより、第１モニタ部８ａ（第２モニタ部８ｂ、第３モニタ部８ｃ、…）とクロック・データ再生回路３とが接続され、第１モニタ部８ａ（第２モニタ部８ｂ、第３モニタ部８ｃ、…）は、入力された信号のビットレートに準拠した伝送路や伝送される信号の品質管理のための監視（パフォーマンスモニタリング）を行う。
第１モニタ部８ａ（第２モニタ部８ｂ、第３モニタ部８ｃ、…）は、クロック・データ再生回路３から送られてきたデータ信号ａ4から警報情報ａ7を抽出し、選択接続部７へ送る。
選択接続部７では、切換制御部１１が警報情報を受け取ると、この警報情報ａ7を下流側の装置へ送る。
【００４２】
入力された光信号ａ1が、ＳＯＮＥＴ／ＳＤＨ網の規格（例えば、種別番号１（伝送方式種別：ＯＣ−３，ＳＴＭ−１））に従って伝送されてきたものとすると、周波数検出回路５は、対応するビットレート情報ａ5として、ビットレートが「１５５．５２［Ｍｂｐｓ］」であることを示す情報をパフォーマンスモニタ回路６へ送る。
パフォーマンスモニタ回路６では、選択接続部７の切換制御部１１が、周波数検出回路５から送られてきた伝送方式種別に対応したこのビットレート情報ａ5に基づいて、このビットレート情報ａ5に対応した接続先としての第１モニタ部８ａ（接続先モニタ部ＩＤ：「０００１」）を選択し、選択された第１モニタ部８ａが、クロック・データ再生回路３と接続されるように、切換部１４を動作させるための接続制御信号ａ6を送る。
【００４３】
これにより、例えば第１モニタ部８ａとクロック・データ再生回路３とが接続され、第１モニタ部８ａは、入力された信号のビットレートに準拠したパフォーマンスモニタを行う。第１モニタ部８ａは、クロック・データ再生回路３から送られてきたデータ信号ａ4から警報情報ａ7を抽出し、選択接続部７へ送る。
ＳＯＮＥＴ／ＳＤＨ網では、そのフレームにセクション管理情報（ＳＯＨ：Section Over Head）及びパス管理情報（ＰＯＨ：Pass Over Head）の２種類のオーバヘッド領域を有している。セクション管理情報は、中継伝送路区間で使用され、運用状態表示や誤り監視等の保守・操作上の情報として転送される。また、パス管理情報は、多重化装置部分で使用され、運用状態表示やアラーム情報表示、保守用信号の収容、多重構造の表示等のために、転送される。
【００４４】
第１モニタ部８ａは、データ信号ａ4の上記オーバヘッド領域に含まれる警報情報ａ7を抽出する。
選択接続部７では、切換制御部１１が警報情報ａ7を受け取ると、この警報情報ａ7を下流側の装置へ送る。
こうして、パフォーマンスモニタ回路６からは、クロック信号ａ3、データ信号ａ4、警報情報ａ7が出力される。
【００４５】
このように、この例の構成によれば、ビットレートを特定する周波数検出回路５を有し、かつ、単一の光信号受信機１内に、それぞれのビットレートに対応した複数の第１モニタ部８ａ、第２モニタ部８ｂ、…を有し、これらのなかからビットレートに応じて自動的に選択されるパフォーマンスモニタ回路６が組み込まれているので、それぞれのビットレートに対応した複数種類の光信号受信機を用意する必要がない。したがって、ビットレート（及び対応する規格）に依らず、共通の光信号受信機を用いて光伝送システムを構築することができる。
すなわち、複数の伝送方式に対応しなければならない場合であっても、光信号受信機を共通化し、簡素化された光伝送システムを構築することができる。
【００４６】
また、特に、複数種の伝送方式が混在する光伝送システムにおいて、例えば、導入時に、多数の光信号受信機を配置する場合に、同種の光信号受信機を配置すれば良いので、手間がかからない。また、光伝送システムの一部を別種の伝送方式に変更するような場合にも、手間がかからない。また、運用保守も容易化することができる。
また、光信号受信機を接続することによって、任意の中継点（又は終端部）で、ビットレート、すなわち、伝送方式を、容易に把握することができる。
【実施例２】
【００４７】
図５は、この発明の第２実施例である光信号受信機の構成を示すブロック図である。
この例が上述した実施例１と大きく異なるところは、クロック・データ再生回路から、クロック信号の周波数情報を出力し、周波数検出回路に代えて、周波数情報をビットレート情報に変換するビットレート情報変換回路を設けた点である。
これ以外の構成は、上述した実施例１の構成と略同一であるので、その説明を簡略にする。
【００４８】
この例の光信号受信機１Ａは、光通信監視機能を有し、図５に示すように、入力光信号を電気的信号に変換する光／電気変換回路２と、入力された電気的信号に基づいてクロック信号及びデータ信号を再生すると共にクロック信号の周波数情報を出力するクロック・データ再生回路１６と、周波数情報をビットレート情報に変換するビットレート情報変換回路１７と、ビットレート情報変換回路１７から受け取ったビットレート情報に基づいて、クロック・データ再生回路３で再生されたデータ信号から警報情報を抽出し、伝送路や伝送される信号の品質管理を行うためのパフォーマンスモニタ回路６とを備えてなっている。
【００４９】
次に、図５を参照して、この例の光信号受信機１Ａの動作について説明する。
図５に示すように、光伝送路としての光ファイバを伝送された光信号ｂ1が光信号受信機１Ａに入力されると、光／電気変換回路２がこの入力光信号を電気的信号ｂ2に変換し、クロック・データ再生回路１６が、入力された電気的信号に基づいてクロック信号ｂ3及びデータ信号ｂ4を再生し出力する。このクロック・データ再生回路１６は、さらに、クロック信号の周波数情報ｂ5を出力する。
クロック・データ再生回路１６から出力されたクロック信号ｂ3及びデータ信号ｂ4は、パフォーマンスモニタ回路６へ送られ、周波数情報ｂ5は、ビットレート情報変換回路１７へ送られる。
ビットレート情報変換回路１７は、クロック・データ再生回路１６から受け取った周波数情報ｂ5に基づいて、ビットレートを特定し、ビットレート情報ｂ6をパフォーマンスモニタ回路６へ送る。
【００５０】
パフォーマンスモニタ回路６では、選択接続部７の切換制御部１１が、ビットレート情報変換回路１７から送られてきた伝送方式種別に対応したこのビットレート情報ｂ6に基づいて、このビットレート情報ｂ6に対応した接続先としての第１モニタ部８ａ（第２モニタ部８ｂ、第３モニタ部８ｃ、…）を選択し、選択された第１モニタ部８ａ（第２モニタ部８ｂ、第３モニタ部８ｃ、…）が、クロック・データ再生回路１６と接続されるように、切換部１４を動作させるための接続制御信号を送る。
【００５１】
これにより、第１モニタ部８ａ（第２モニタ部８ｂ、第３モニタ部８ｃ、…）とクロック・データ再生回路３とが接続され、第１モニタ部８ａ（第２モニタ部８ｂ、第３モニタ部８ｃ、…）は、入力された信号のビットレートに準拠した伝送路や伝送される信号の品質管理のための監視（パフォーマンスモニタリング）を行う。
第１モニタ部８ａ（第２モニタ部８ｂ、第３モニタ部８ｃ、…）は、クロック・データ再生回路１６から送られてきたデータ信号ｂ4から警報情報ｂ7を抽出し、選択接続部７へ送る。
選択接続部７では、切換制御部１１が警報情報ｂ7を受け取ると、この警報情報ｂ7を下流側の装置へ送る。
【００５２】
この例の構成によれば、上述した実施例１と略同様の効果を得ることができる。
加えて、クロック・データ再生回路が、クロック信号の周波数情報を出力するので、回路構成を簡素化することができる。
【００５３】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例で、パフォーマンスモニタ回路内に、対応するモニタ部が準備されていなかった場合には、選択接続部が、警報情報として、この光信号受信機における例えばパフォーマンスモニタの未実施を意味する警報情報を含めて送出するようにしても良い。これによって、対応するモニタ部が準備されていなくても間違った警報を送出することがない。
また、クロック・データ再生回路として、基準クロックによって動作する回路を用いても良い。
【００５４】
また、パフォーマンスモニタ回路のモニタ部を、増設、交換及び取外し可能なように構成しても良い。
また、例えば、ＳＯＮＥＴ／ＳＤＨ網の規格として、種別番号１（伝送方式種別：ＯＣ−３，ＳＴＭ−１（ビットレート：１５５．５２［Ｍｂｐｓ］））、種別番号２（伝送方式種別：ＯＣ−１２，ＳＴＭ−４（ビットレート：６２２．０８［Ｍｂｐｓ］     ））、種別番号６（伝送方式種別：ＯＣ−４８，ＳＴＭ−１６（ビットレート：２４８８．３２［Ｍｂｐｓ］））に対応したモニタ部に加えて、伝送方式種別：ＯＣ−１，ＳＴＭ−０（ビットレート：５１．８４［Ｍｂｐｓ］）や、伝送方式種別：ＯＣ−１９２，ＳＴＭ−６４（ビットレート：１０［Ｇｂｐｓ］）、伝送方式種別：ＯＣ−７６８，ＳＴＭ−２５６（ビットレート：４０［Ｇｂｐｓ］）に対応したモニタ部を追加しても良い。
また、パフォーマンスモニタ回路に、周波数検出回路やビットレート情報変換回路を含めて扱うようにしても良い。
また、この光信号受信機で終端させても良いし、光信号を転送させても良い。
【産業上の利用可能性】
【００５５】
パフォーマンスモニタ回路として、警報情報を抽出する場合のほか、光信号の測定機能や評価機能を設ける場合に適用できる。
【図面の簡単な説明】
【００５６】
【図１】この発明の第１実施例である光信号受信機の構成を示すブロック図である。
【図２】同光信号受信機のパフォーマンスモニタ回路の構成を示すブロック図である。
【図３】同パフォーマンスモニタ回路の選択接続部の構成を示すブロック図である。
【図４】同選択接続部の記憶部に記憶された対応テーブルを示す図である。
【図５】この発明の第２実施例である光信号受信機の構成を示すブロック図である。
【図６】従来技術を説明するための説明図である。
【図７】従来技術を説明するための説明図である。
【符号の説明】
【００５７】
１，１Ａ      光信号受信機（光信号受信装置）
２，１５      光／電気変換回路（光／電気変換手段）
３，１６      クロック・データ再生回路（再生手段）
５      周波数検出回路（伝送速度情報取得手段）
６，１８      パフォーマンスモニタ回路（光信号監視ユニット）
７      選択接続部（選択接続手段）
８ａ，８ｂ，…      第１モニタ部、第２モニタ部、…（警報情報抽出手段、周波数検知手段）
１１      切換制御部
１２      記憶部（記憶手段）
１７      ビットレート情報変換回路（伝送速度情報取得手段、伝送速度情報変換手段）
【図１】
2006270262.tif 000003
【図２】
2006270262.tif 000004
【図３】
2006270262.tif 000005
【図４】
2006270262.tif 000006
【図５】
2006270262.tif 000007
【図６】
2006270262.tif 000008
【図７】
2006270262.tif 000009